(57)【要約】【課題】キッチンカウンタや食器棚、もしくは書類用収納棚など家具自体の外見上の形状を損なうことなく、また極めて容易に踏み台を用意でき、かつ収納できる踏み台を提供すること。【解決手段】本発明の家具における踏み台１１は、家具本体における収納部１２の内部を隠蔽するパネルの少なくとも一部が、前面板８と踏み板１４との二重構造で構成されると共に、少なくとも前記踏み板１４は家具本体に対してヒンジ結合され、前面板８側へ折り畳むことができるようになっており、かつ踏み台１１としての利用時略水平状態を保持できるようになっている。【選択図】　図２
2004097285.tif 000002
【特許請求の範囲】
【請求項１】
家具本体における収納部の内部を隠蔽するパネルの少なくとも一部が、前面板と踏み板との二重構造で構成されると共に、少なくとも前記踏み板は家具本体に対してヒンジ結合され、前面板側へ折り畳むことができるようになっており、かつ踏み台としての利用時略水平状態を保持できるようになっていることを特徴とする家具における踏み台。
【請求項２】
前記前面板が、家具の引出しの収納部を隠蔽する前面板であり、この前面板にヒンジ結合された踏み板が前記前面板に対して折り畳み可能に設けられている請求項１に記載の家具における踏み台。
【請求項３】
前記前面板が、家具収納部を隠蔽するようにヒンジ結合された開閉扉であり、この前面板にヒンジ結合された踏み板が前記前面板に対して折り畳み可能に設けられている請求項１に記載の家具における踏み台。
【請求項４】
前記前面板が、収納部を隠蔽するように家具にスライドレールを用いて移動できるスライド扉であり、この前面板にヒンジ結合された踏み板が前記前面板に対して折り畳み可能に設けられている請求項１に記載の家具における踏み台。
【請求項５】
前面板と踏み板の間、もしくは踏み板の側面に、折畳式の脚部が配置され、踏み板を踏み台として利用する際、踏み板を略水平に保持できるようになっている請求項１ないし４の何れかに記載の家具における踏み台。
【請求項６】
踏み台としての利用時において、踏み板を前記前面板から引き離す際、前面板の移動が規制されるようになっているロック機構を有している請求項１ないし５の何れかに記載の家具における踏み台。
【請求項７】
脚部が板状になっており、少なくとも前面板、踏み板そして板状の脚部がヒンジ結合で三重構造に折り畳まれるようになっている請求項１ないし６の何れかに記載の家具における踏み台。
【請求項８】
前面板の取手と区別するように、踏み台部に別途取手が設けられている請求項１ないし７の何れかに記載の家具における踏み台。
【発明の詳細な説明】
【０００１】
【発明の属する技術分野】
本発明は、家具における踏み台に関する。
【０００２】
【従来の技術】
従来、台所等において、一般にキッチンカウンタの上方には調理器具等を収納する収納棚が設けられており。高い位置に設けられている収納棚から収納物を取り出す際に手が届かないことがある。そのためテーブルの椅子などを踏み台として使用した場合、収納棚から収納物を取り出したり収納したりする毎に、踏み台を持って来たり片付けたりしなければならず手間がかかり面倒であった。また、それら踏み台を台所に置きっぱなしにすると床面のスペースを占有して、使用しない時邪魔であった。
【０００３】
そこでキッチンカウンタに予め設けられている最下段の収納部上部開口部に踏み台兼用の蓋板を設けることで、人が乗り降り出来るようにし、収納部を踏み台として使用するものがあった（例えば、特許文献１参照。）。
【０００４】
また、キャビネットに、踏み台収納部が設けられ踏み台が出し入れ可能に収納されているものがあった（例えば、特許文献２参照。）。
【０００５】
【特許文献１】
特開平１１−１０３９５１号公報（第４頁、第１図）
【特許文献２】
特開平９−１６４０３２号公報（第３頁、第２図）
【０００６】
【発明が解決しようとしている課題】
しかしながら、文献１にあっては、踏み台兼用の蓋板が設けられており、収納部内部の収納物を取り出すたびにこの蓋板を開けなくてはならず、踏み台として使わない収納物の取り出しの際に不便さを有していた。
【０００７】
文献２にあっては、踏み台のためのスペースが別途必要になり、引出しの寸法他扉の寸法を制限しなければならないばかりか特別な設計寸法を採用しなければならず実用的ではないばかりか、一部の引出しの形状が不揃いとなり、外見上、そのデザインが劣るものがあった。
【０００８】
本発明は、このような問題点に着目してなされたもので、キッチンカウンタや食器棚、もしくは書類用収納棚など家具自体の外見上の形状を損なうことなく、また極めて容易に踏み台を用意でき、かつ収納できる踏み台を提供することを目的とする。
【０００９】
【課題を解決するための手段】
上記の目的を解決するために、本発明の家具における踏み台は、家具本体における収納部の内部を隠蔽するパネルの少なくとも一部が、前面板と踏み板との二重構造で構成されると共に、少なくとも前記踏み板は家具本体に対してヒンジ結合され、前面板側へ折り畳むことができるようになっており、かつ踏み台としての利用時略水平状態を保持できるようになっていることを特徴としている。
この特徴によれば、収納部の前面板に折り畳まれる踏み板を展開し踏み台として使用できるため、この踏み板が収納部における収納物の出し入れを妨げることなく、また、踏み板が収納部の内部を隠蔽する前面板の役目を果たすために外見上一般の家具と何らデザイン上変わるところがない。さらに一般の家具に対して収納部の表面の構造を置き換えるだけで、無理なく踏み台構造を付加できる。
【００１０】
本発明の家具における踏み台は、前記前面板が、家具の引出しの収納部を隠蔽する前面板であり、この前面板にヒンジ結合された踏み板が前記前面板に対して折り畳み可能に設けられていることが好ましい。
このようにすれば、収納部が引き出し可能となっているため、前後方向に踏み台の位置を移動させることができる。
【００１１】
本発明の家具における踏み台は、前記前面板が、家具収納部を隠蔽するようにヒンジ結合された開閉扉であり、この前面板にヒンジ結合された踏み板が前記前面板に対して折り畳み可能に設けられていることが好ましい。
このようにすれば、展開した踏み台部を開閉扉のヒンジを中心に円弧状に揺動移動し得るので使用領域を広くすることができる。
【００１２】
本発明の家具における踏み台は、前記前面板が、収納部を隠蔽するように家具にスライドレールを用いて移動できるスライド扉であり、この前面板にヒンジ結合された踏み板が前記前面板に対して折り畳み可能に設けられていることが好ましい。
このようにすれば、展開した踏み台部を左右横方向にスライド移動し得るので使用領域を広くすることができる。また、スライドなので安定して踏み台部を横移動できる。
【００１３】
本発明の家具における踏み台は、前面板と踏み板の間、もしくは踏み板の側面に、折畳式の脚部が配置され、踏み板を踏み台として利用する際、踏み板を略水平に保持できるようになっていることが好ましい。
このようにすれば、踏み板に床面上に支持される折畳式の脚部を設けることによって踏み板に荷重をかけた際の十分な強度を得ることができるようになり人が載っても壊れずに安全に踏み台として使用できるばかりか、脚部を見栄えよく収納できることになる。
【００１４】
本発明の家具における踏み台は、踏み台としての利用時において、踏み板を前記前面板から引き離す際、前面板の移動が規制されるようになっているロック機構を有していることが好ましい。
このようにすれば、前面板の移動が規制されるようにロックすることができる機構を設けることで、踏み台として利用中に誤って収納部を開放することなく踏み台部を安定させ使用することができる。
【００１５】
本発明の家具における踏み台は、脚部が板状になっており少なくとも、前面板、踏み板そして板状の脚部がヒンジ結合で三重構造に折り畳まれるようになっていることが好ましい。
このようにすれば、踏み板に床面上に支持される板状の脚部を設けることによって踏み板に荷重をかけた際の十分な強度を得ることができる。
【００１６】
本発明の家具における踏み台は、前面板の取手と区別するように、踏み台部に別途取手が設けられていることが好ましい。
このようにすれば、収納部に収納物を出し入れする際に踏み台部が誤って展開することなく格納保持でき、かつ踏み台として利用する際に誤って収納部が開放することがなく使用できる。
【００１７】
【発明の実施形態】
以下、本発明の実施例を図面に基づいて説明すると、まず図１には本発明の実施例としてのキッチンカウンタに設けられた第１実施形態に係る踏み台部を有する引出しの断面図、図２の（ａ）は踏み台部が引出しの前面板に格納された状態を示し、（ｂ）は踏み台部が展開された状態を示す引出しの斜視図であり、図３は、本発明の使用例を示す断面図である。
【００１８】
図１〜図３により本発明の第１実施形態に係る踏み台部を有する引出しについて説明する。１はキッチンカウンタを示し、２はキッチンカウンタ１の上方に設けられた調理用具などを収納する収納棚を示す。キッチンカウンタ１は、天板３にシンク４、ガス台などを備えており、このキッチンカウンタ１の前面には、上下に引出し５、６が引出し可能に収容されている。
【００１９】
上部の引出し５はシンク４の手前側に引き出される構造であり、その収納箱７は、収納時にはシンク４のないし下部空間に位置しており、さらに下部に位置する引出し６は、前記上部引出し５の下部に配置されている。
【００２０】
上部の引出し５は、図２（ａ）（ｂ）に示すように収納物を収納する収納箱７と、該収納箱７の前端に取り付けられた四角形状の前面板８と、該前面板８正面の格納凹部９に格納すべく前面板８の下端に取り付けられた枢軸１０を介して揺動可能に枢着された踏み台部１１とから構成されている。
【００２１】
前面板８の上端には引出し５を開閉操作する取手１３が設けられており、踏み台部１１は、格納凹部９内に枢軸１０を中心として展開可能に枢着された踏み板（板材）１４と揺動展開可能な脚部１６とから成り、踏み板１４の上端に設けられた取手１５を手前に引くことで前面板８と踏み板１４とをロックしているロック機構３０が解け、枢軸１０を中心として展開することができ、同時に格納されていた脚部１６が、水平の踏み板１４に対して略垂直に、かつ床面に接するように展開されるようになっている。この脚部１６は、引出し５のレール１７にかかる荷重を軽減するとともに、図３に示されるように使用者１８が踏み台部１１に載りキッチンカウンタ１の上方にある収納棚２から収納物を容易に取り出す場合の安定度を向上させるようになっている。
【００２２】
前面板８は、シンク４前方に形成される格納凹部９を収容できる程度にその厚みを有しており踏み台１１の不使用時、この踏み台部１１は、前面板８の格納凹部９に踏み板１４と脚部１６一体となって格納されている。
【００２３】
この踏み台部１１にあっては、図２（ｂ）に示すように、前面板８における格納凹部９の両側縁、すなわち脚部１６の収納位置にロック機構としてのマグネット１９ａ、１９ｂが配置されていると共に、踏み台部１１の脚部１６は、少なくともマグネット１９ａ、１９ｂに対応する位置が磁性の材質で構成されている。これにより格納凹部９に踏み台部１１が格納されている時に、脚部１６とともに踏み台部１１を強力に保持し、踏み台部１１が誤って展開するのを防ぐことができるようになっている。
【００２４】
また、収納部１２とキッチンカウンタ１とは各図に示されるようなロック機構２０によって、踏み台部１１の使用時両者の相対移動が制限されるようになっており、具体的には、格納凹部９に設けられたボタン５０で踏み台部１１の使用を検知すると、連動してロック機構２０が働き収納部１２をその位置から動かせないようにもできるし、収納部１２を開放する際、取手１３を掴まない限りロックを解除できないようにもできる。この実施例の場合、踏み台部１１の展開時には収納部１２のロック機構２０がロックされているので不用意に収納部１２が開放されないようになっている。
【００２５】
踏み板１４の脚部には図２（ｂ）に示すようにストッパー２１ａ、２１ｂが設けられており、ストッパー２１ａは突出片となっており、２１ｂはスプリングで外方に付勢され適宜押圧力で踏み板１４内に没入するストッパーである。これらストッパー２１ａ、２１ｂは、踏み台部１１の展開時に脚部１６の移動をロックするように働き、脚部１６の下端となる部分に設けられた滑り止め用ゴム２２ａ、２２ｂと共に、使用時における踏み台部１１の安定を向上させることができるようになっている。
【００２６】
上記のように構成された踏み台部を有する第１実施形態に係る引出しにおいて、キッチンカウンタ１の上方に設けられた収納棚２にある調理器具等を取り出したり収納したりする際は、キッチンカウンタ１の上部の引出し５を引き出すことなく、取手１５を手前に引くだけで引出し５の踏み台部１１を容易に準備することができる。
【００２７】
このように、踏み台部１１を利用する時には、ロック機構２０が引出し５の働きを規制していることにより、利用者は安心して調理用具等の出し入れ作業を行うことになる。
【００２８】
次に、第２実施形態に係る踏み台部を有する引出しにつき、図４を参照して説明する。なお、上記実施形態と同一構成で重複する説明を省略する。
【００２９】
図４は第２実施形態に係る踏み台部を有する引出しの斜視図を示しており、１０５は、踏み台部１１１を備えた引出しであって、この踏み台部１１１は、踏み板１１４と踏み板１１４に形成された脚部格納溝部１００内に格納される脚部１１６によって構成されている。
【００３０】
この踏み台部１１１の脚部１１６は、格納する際に踏み板１１４の格納凹部１０９に面する側に形成された脚部格納溝部１００に収納され、この脚部１１６が前面板１０８と踏み板１１４との間に挟まれた状態で踏み板１１４と共に格納凹部１０９に格納されるようになっている。このため格納時に脚部１１６が表面に露出することがなく完全に隠蔽することができるようになっている。
【００３１】
次に、第３実施形態に係る踏み台部を有する引出しにつき、図５を参照して説明する。この実施形態でも重複する構成は省略して説明する。
【００３２】
図５は第３実施形態に係る踏み台部を有する引出しの斜視図を示し、符号２０５は、踏み台部２１１を備えた引出しであって、この踏み台部２１１は、踏み板２１４と板状の脚板２１６によって構成されており、両者はヒンジ２３０で屈曲自在に連結されているとともに、脚部に設けられたくの字に安定するヒンジアーム２４０で踏み台が展開された際の安定度を向上させている。
【００３３】
この踏み台部２１１の脚部２１６は、第１実施形態の踏み台部１１の脚部１６のようなバー状の構成ではなく板状になっているため、格納時には脚部２１６が引出し２０５の表面パネルとして機能し、バー状の脚を利用しない分構造が簡素化される。
【００３４】
次に、第４実施形態に係る踏み台部を有する引出しにつき、図６を参照して説明する。この実施形態でも重複する構成は省略して説明する。
【００３５】
図６（ａ）（ｂ）は第４実施形態に係る踏み台部を有する引出しの斜視図を示し、この引出し３０５は、キッチンカウンタ３０１下部に設けられている踏み台部３１１を備えた引出しであって、この踏み台部３１１は、踏み板３１４と棒状の二本の脚部３１６ａ、３１６ｂによって構成される。二本の棒状の脚部３１６ａ、３１６ｂは踏み台部３１１の格納時には踏み板３１４の裏面の脚部格納溝部３１０に格納され、格納時に脚部３１６ａ、３１６ｂを隠蔽することができるようになっているようになっている。
【００３６】
特に本実施例にあっては、引出し３０５の前面板３０８の下端には、常時床面に接するキャスター３００ａ、３００ｂが設けられており、これにより踏み台部３１１を展開した際に二本の脚部３１６ａ、３１６ｂと二つキャスター３００ａ、３００ｂとの四点で踏み板３１４にかかる荷重を支えることができ、十分な強度を得ることができる。また、このキャスター３００ａ、３００ｂで踏み台部３１１を前後に移動できるようになり、広範囲の位置で踏み台を使用できるようになる。
【００３７】
次に、第５実施形態に係る踏み台部を有する引出しにつき、図７を参照して説明する。この実施形態でも重複する構成は省略して説明する。
【００３８】
図７は第５実施形態に係る踏み台部を有する引出しの斜視図を示し、４０５は、踏み台部４１１を備えた引出しであって、この踏み台部４１１は、踏み板４１４と左右に開く板状の二枚の脚部４１６ａ、４１６ｂによって構成されている。二枚の脚部４１６ａ、４１６ｂは展開時には、それぞれ左右に開き踏み板４１４の荷重を両側で均等に支えることができ、十分な強度を得ることができる。
【００３９】
次に、第６実施形態に係る踏み台部を有する引出しにつき、図８を参照して説明する。この実施形態でも重複する構成は省略して説明する。
【００４０】
図８は第６実施形態に係る踏み台部を有する引出しの斜視図を示し、５０５は、二つの踏み台部５１１ａ、５１１ｂを備えた引出しである。この踏み台部５１１ａ、５１１ｂは、それぞれの踏み板と板状の脚部５１６ａ、５１６ｂによって構成されている。
【００４１】
この実施例によれば、踏み台部５１１ａ、５１１ｂは引出し５０５の前面板５０８の幅や大きさにとらわれることなく、適度な大きさの踏み台部５１１ａ、５１１ｂを構成することができ、必要とするところのみに踏み台部５１１ａ、５１１ｂを分割して設けることができるようになっている。
【００４２】
次に、第７実施形態に係る踏み台部を有する収納部の前面板につき、図９を参照して説明する。この実施形態でも重複する構成は省略して説明する。
【００４３】
図９は第７実施形態に係る踏み台部を有する収納部の前面板の斜視図を示し、６０５は、２段式の踏み台部６１１ａ、６１１ｂを備えた引出しであって、この踏み台部６１１ａ、６１１ｂは、２枚の踏み板６１４ａ、６１４ｂと、その一方である６１１ａは板状の脚部６１６ａで、さらに他方である６１１ｂは棒状の２本の伸縮可能な脚部６１６ｂ、６１６ｃによって構成されている。脚部６１６ｂ、６１６ｃは伸長した際にロック部材６４０ｂ、６４０ｃを回転させることでロックすることができ、二本の棒状の脚部６１６ｂ、６１６ｃは踏み台部６１１ｂの格納時には踏み板６１４ｂの裏面の脚部格納溝部６００に格納され、それにより格納時に脚部６１６ｂ、６１６ｃを隠蔽することができるようになっている。さらにその隣の踏み台部６１１ｂにおける脚部６１６ａは、板状になっているため、格納時に踏み板６１４ａを板状の脚部６１６ａにより隠蔽することができるようになっている。
【００４４】
また、踏み台部６１１ａ、６１１ｂの踏み板６１４ａ、６１４ｂは、第１実施形態の踏み台部１１のような単段式の踏み台ではなく、多段式の踏み台になっているため、階段状の踏み台部を提供できることになる。
【００４５】
次に、第８実施形態に係る踏み台部を有する収納部の前面板につき、図１０を参照して説明する。この実施形態でも重複する構成は省略して説明する。
【００４６】
図１０は第８実施形態に係る踏み台部を有する収納部の前面板の斜視図を示し、７１２は、踏み台部７１１ａ、７１１ｂを備えた収納部であって、この踏み台部７１１ａは、踏み板７１４と板状の脚部７１６によって構成されており、前述した実施形態と同様に、格納時に踏み板７１４を板状の脚部７１６により隠蔽することができるようになっている。
【００４７】
特に本実施形態は、収納部７１２の前面板７０８ａ、７０８ｂが左右にヒンジで開閉する観音扉になっており、その前面板７０８ａに設けられた格納部７０９に踏み台部７１１ａが格納されるものであり、展開した踏み台部７１１ａ、７１１ｂは円弧状に方向に揺動移動し得るので、踏み台部７１１ａ、７１１ｂの使用領域を広くすることができる利点がある。
【００４８】
次に、第９実施形態に係る踏み台部を有する収納部の前面板につき、図１１を参照して説明する。この実施形態でも重複する構成は省略して説明する。
【００４９】
図１１は第９実施形態に係る踏み台部を有する収納部の前面板の斜視図を示し、８１２は、踏み台部８１１ａ、８１１ｂを備えた収納部であって、この踏み台部８１１ａは、踏み板８１４と板状の脚部８１６によって構成されており、前述の実施形態と同様に、格納時に踏み板８１４を板状の脚部８１６により隠蔽することができるようになっている。
【００５０】
特に本実施形態は、収納部８１２の前面板８０８ａ、８０８ｂ、８００ａ、８００ｂが左右に開閉するスライド式扉になっており、その前面板８０８ａに設けられた格納部８０９に踏み台部８１１ａが格納されるものであり、展開した踏み台部８１１ａ、８１１ｂは左右横方向にスライド移動し得るので、踏み台部８１１ａ、８１１ｂの使用領域を広くすることができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
【発明の効果】
本発明は以下の効果を奏する。
【００５３】
（ａ）請求項１に記載の発明によれば、収納部の前面板に折り畳まれる踏み板を展開し踏み台として使用できるため、この踏み板が収納部における収納物の出し入れを妨げることなく、また、踏み板が収納部の内部を隠蔽する前面板の役目を果たすために外見上一般の家具と何らデザイン上変わるところがない。さらに一般の家具に対して収納部の表面の構造を置き換えるだけで、無理なく踏み台構造を付加できる。
【００５４】
（ｂ）請求項２に記載の発明によれば、収納部が引き出し可能となっているため、前後方向に踏み台の位置を移動させることができる。
【００５５】
（ｃ）請求項３に記載の発明によれば、展開した踏み台部を開閉扉のヒンジを中心に円弧状に揺動移動し得るので使用領域を広くすることができる。
【００５６】
（ｄ）請求項４に記載の発明によれば、展開した踏み台部を左右横方向にスライド移動し得るので使用領域を広くすることができる。また、スライドなので安定して踏み台部を横移動できる。
【００５７】
（ｅ）請求項５に記載の発明によれば、踏み板に床面上に支持される折畳式の脚部を設けることによって踏み板に荷重をかけた際の十分な強度を得ることができるようになり人が載っても壊れずに安全に踏み台として使用できるばかりか、脚部を見栄えよく収納できることになる。
【００５８】
（ｆ）請求項６に記載の発明によれば、前面板の移動が規制されるようにロックすることができる機構を設けることで、踏み台として利用中に誤って収納部を開放することなく踏み台部を安定させ使用することができる。
【００５９】
（ｇ）請求項７に記載の発明によれば、踏み板に床面上に支持される板状の脚部を設けることによって踏み板に荷重をかけた際の十分な強度を得ることができる。
【００６０】
（ｈ）請求項８に記載の発明によれば、収納部に収納物を出し入れする際に踏み台部が誤って展開することなく格納保持でき、かつ踏み台として利用する際に誤って収納部が開放することがなく使用できる。
【図面の簡単な説明】
【図１】キッチンカウンタ上部に設けられた第１実施形態に係る踏み台部を有する引出しの断面図である。
【図２】（ａ）は踏み台部が引出しの前面板に格納された状態を示し、（ｂ）は踏み台部が展開された状態を示す引出しの斜視図である。
【図３】本発明の使用例を示す断面図である。
【図４】第２実施形態に係る踏み台部を有する引出しを示す斜視図である。
【図５】第３実施形態に係る踏み台部を有する引出しを示す斜視図である。
【図６】（ａ）は第４実施形態に係る踏み台部を有する引出しを示す斜視図であり、（ｂ）はキッチンカウンタ下部に設けられた第４実施形態に係る踏み台部を有する引出しの断面図である。
【図７】第５実施形態に係る踏み台部を有する引出しを示す斜視図である。
【図８】第６実施形態に係る踏み台部を有する引出しを示す斜視図である。
【図９】第７実施形態に係る多段式の踏み台部を有する引出しを示す斜視図である。
【図１０】第８実施形態に係る踏み台部を有する観音扉式の前面板をもつ収納部を示す斜視図である。
【図１１】第９実施形態に係る踏み台部を有するスライド式の前面板をもつ収納部を示す斜視図である。
【符号の説明】
１、３０１　　　　　キッチンカウンタ
２　　　　　　　　　収納棚
３　　　　　　　　　天板
４　　　　　　　　　シンク
５、６、１０５　　　引出し
２０５、３０５　　　引出し
４０５、５０５　　　引出し
６０５　　　　　　　引出し
７、２５　　　　　　収納箱
８、２３、１０８　　前面板
２０８、３０８　　　前面板
５０８　　　　　　　前面板
７０８ａ、７０８ｂ　前面板
８００ａ、８００ｂ　前面板
８０８ａ、８０８ｂ　前面板
９、１０９、２０９　格納凹部
７０９、８０９　　　格納凹部
１０　　　　　　　　枢軸
１１、１１１　　　　踏み台部
２１１、３１１　　　踏み台部
４１１　　　　　　　踏み台部
５１１ａ、５１１ｂ　踏み台部
６１１ａ、６１１ｂ　踏み台部
７１１ａ、７１１ｂ　踏み台部
８１１ａ、８１１ｂ　踏み台部
１２、２７　　　　　収納部
７１２、８１２　　　収納部
１３、１５、１１５　取手
１４、１１４　　　　踏み板
２１４、３１４　　　踏み板
４１４　　　　　　　踏み板
６１４ａ、６１４ｂ　踏み板
７１４、８１４　　　踏み板
１６、１１６　　　　脚部
２１６、３１６ａ　　脚部
３１６ｂ　　　　　　脚部
４１６ａ、４１６ｂ　脚部
５１６ａ、５１６ｂ　脚部
６１６ａ、６１６ｂ　脚部
６１６ｃ、７１６　　脚部
８１６　　　　　　　脚部
１７、２６　　　　　レール
１８　　　　　　　　使用者
１９ａ、１９ｂ　　　マグネット
２０、２４、３０　　ロック機構
２１ａ、２１ｂ　　　ストッパー
２２ａ、２２ｂ　　　滑り止め用ゴム
５０　　　　　　　　ボタン
１００、３１０　　　脚部格納溝部
６００　　　　　　　脚部格納溝部
２３０、３３０　　　ヒンジ
２４０　　　　　　　ヒンジアーム
３００ａ、３００ｂ　キャスター
６４０ｂ、６４０ｃ　ロック部材
【図１】
2004097285.tif 000003
【図２】
2004097285.tif 000004
【図３】
2004097285.tif 000005
【図４】
2004097285.tif 000006
【図５】
2004097285.tif 000007
【図６】
2004097285.tif 000008
【図７】
2004097285.tif 000009
【図８】
2004097285.tif 000010
【図９】
2004097285.tif 000011
【図１０】
2004097285.tif 000012
【図１１】
2004097285.tif 000013